(57)【特許請求の範囲】
【請求項１】
ディスクを着脱自在に保持するためのディスククランプ装置において、
ディスクが載置されるディスク載置部材と、前記ディスク載置部材に固定され、リング状の作用案内部を有する固定部材と、前記固定部材の前記作用案内部の内側に第１の位置と第２の位置の間を移動自在に配設された移動部材と、前記移動部材に周方向に間隔をおいて配設され、ディスクを押圧する押圧位置とディスクから後退する解除位置との間を移動自在である複数個の押圧部材と、前記複数個の押圧部材を前記押圧位置に向けて弾性的に偏倚するための弾性偏倚部材と、前記ディスク載置部材と前記移動部材との間に所定範囲にわたって移動自在に配設された解除リング部材とを備え、
前記移動部材には前記ディスク載置部材に向けて突出する係合部が設けられ、前記係合部には係合爪部及び解除用突部が設けられており、
前記ディスク載置部材には、前記係合部の前記係合爪部が解除自在に係合する被係合部が設けられており、
前記移動部材を前記ディスク載置部材に近接する方向に前記第２の位置に移動すると、前記固定部材の前記作用案内部が前記複数個の押圧部材に作用し、これによって前記複数個の押圧部材が前記弾性偏倚部材の作用に抗して前記押圧位置から前記解除位置に保持され、前記移動部材の前記係合爪部が前記ディスク載置部材の前記被係合部に係合することによって、前記移動部材が前記第２の位置に保持され、
この状態から前記解除リング部材を前記ディスク載置部材に向けて移動させると、この解除リング部材が前記移動部材の前記係合部の前記解除用突部に作用して前記係合爪部と前記ディスク載置部材の前記被係合部との係合状態が解除され、これによって、前記移動部材が前記第１の位置に移動するとともに、前記複数個の押圧部材が前記弾性偏倚部材の作用によって前記解除位置から前記押圧位置に保持されることを特徴とするディスククランプ装置。
【請求項２】
前記ディスク載置部材には軸部材が固定され、前記軸部材に前記移動部材が軸線方向に移動自在に装着され、前記軸部材の先端部には前記移動部材の前記第１の位置を越える移動を阻止する移動阻止部材が装着され、更に、前記ディスク載置部材と前記移動部材との間には、前記移動部材を前記第１の位置に向けて弾性的に偏倚する第２の弾性偏倚部材が介在されていることを特徴とする請求項１記載のディスククランプ装置。
【請求項３】
前記ディスク載置部材と前記解除リング部材との間には、前記解除リング部材を前記移動部材に向けて弾性的に偏倚する第３の弾性偏倚部材がが介在されていることを特徴とする請求項２記載のディスククランプ装置。
【請求項４】
前記ディスク載置部材は、モータのロータ本体から構成されていることを特徴する請求項１〜３のいずれかに記載のディスククランプ装置。
【発明の詳細な説明】
【０００１】
【発明の属する技術分野】
本発明は、ディスクを解除自在に保持するディスククランプ装置に関する。
【０００２】
【従来の技術】
近年、コンピュータの記憶容量の増大に伴って、光ディスク、CD-ROM等のディスクを回転駆動するディスク駆動装置では、アクセスタイムの短縮化を図るために、ディスクの回転速度の高速化が要求されている。加えて、携帯型（所謂ノート型）のパーソナルコンピュータでは、携帯性を高めるために、コンピュータ本体の小型化、薄型化の傾向にあり、これに伴ってディスクを回転駆動するためのモータ及びディスクを保持ためのディスククランプ装置の小型化、薄型化が求められている。
【０００３】
このような要求を満たすために、ディスククランプ装置として、例えば、ボールチャック構造のもの（特開平１０−２８５８５８参照）が実用に供されている。この公知のディスククランプ装置では、ディスク載置部材に周方向に間隔をおいて複数個の押圧爪が設けられ、これら押圧爪がＣＤ−ＲＯＭの如きディスクの取付孔の内周面に半径方向外方に作用し、かかる押圧爪の押圧力によってディスクが保持される。
【０００４】
【発明が解決しようとする課題】
しかしながら、この公知のボールチャック構造のものでは、ディスクを装着する（複数個の押圧爪にディスクを被嵌する）、或いはディスクを離脱する（複数個の押圧爪からディスクを外す）際に、ディスク自体を弾性変形させる場合があり、この場合にこの変形が大きくなるとディスクの内周部に大きな応力が作用するために亀裂が生じ、この亀裂が大きくなるとディスクが完全に破損して使用することができなくなる。また、このようにディスクの内周部に亀裂が生じると、ディスクを確実に保持することが困難になる。
【０００５】
本発明の目的は、ディスクを大きく変形させることなくディスクを容易に着脱することができるディスククランプ装置を提供することである。
【０００６】
【課題を解決するための手段】
本発明は、ディスクを着脱自在に保持するためのディスククランプ装置において、
ディスクが載置されるディスク載置部材と、前記ディスク載置部材に固定され、リング状の作用案内部を有する固定部材と、前記固定部材の前記作用案内部の内側に第１の位置と第２の位置の間を移動自在に配設された移動部材と、前記移動部材に周方向に間隔をおいて配設され、ディスクを押圧する押圧位置とディスクから後退する解除位置との間を移動自在である複数個の押圧部材と、前記複数個の押圧部材を前記押圧位置に向けて弾性的に偏倚するための弾性偏倚部材と、前記ディスク載置部材と前記移動部材との間に所定範囲にわたって移動自在に配設された解除リング部材とを備え、
前記移動部材には前記ディスク載置部材に向けて突出する係合部が設けられ、前記係合部には係合爪部及び解除用突部が設けられており、
前記ディスク載置部材には、前記係合部の前記係合爪部が解除自在に係合する被係合部が設けられており、
前記移動部材を前記ディスク載置部材に近接する方向に前記第２の位置に移動すると、前記固定部材の前記作用案内部が前記複数個の押圧部材に作用し、これによって前記複数個の押圧部材が前記弾性偏倚部材の作用に抗して前記押圧位置から前記解除位置に保持され、前記移動部材の前記係合爪部が前記ディスク載置部材の前記被係合部に係合することによって、前記移動部材が前記第２の位置に保持され、
この状態から前記解除リング部材を前記ディスク載置部材に向けて移動させると、この解除リング部材が前記移動部材の前記係合部の前記解除用突部に作用して前記係合爪部と前記ディスク載置部材の前記被係合部との係合状態が解除され、これによって、前記移動部材が前記第１の位置に移動するとともに、前記複数個の押圧部材が前記弾性偏倚部材の作用によって前記解除位置から前記押圧位置に保持されることを特徴とする。
【０００７】
本発明に従えば、ディスク載置部材には作用案内部を有する固定部材が固定され、この固定部材の半径方向内側に移動部材が移動自在に配設されている。この移動部材には複数個の押圧部材が装着され、複数個の押圧部材はディスクを押圧する押圧位置とディスクから後退する解除位置との間を移動自在である。この移動部材には係合部が設けられ、この係合部には係合爪部及び解除用突部が設けられ、またディスク載置部材には被係合部が設けられている。ディスク載置部材と移動部材との間には、更に、解除リング部材が配設されている。
【０００８】
このように構成されているので、移動部材を第１の位置から第２の位置に位置付けると、固定部材の作用案内部が複数個の押圧部材に作用し、複数個の押圧部材が押圧位置から解除位置に保持され、移動部材の係合爪部がディスク載置部材の被係合部に係合することによって、これら押圧部材が解除位置に保持される。この状態においては、複数個の押圧部材は後退した解除位置に保持されているので、ディスクを装着することができ、また押圧部材が装着するディスクに作用することはない。その後、解除リング部材をディスク載置部材に向けて移動させると、解除リング部材が移動部材の解除用突部に作用してその係合爪部とディスク載置部材の被係合部との係合状態が解除され、移動部材は第２の位置から第１の位置に移動する。かく移動すると、複数個の押圧部材は弾性偏倚部材の作用によって押圧位置に移動してディスクを弾性的に押圧し、ディスクはディスク載置部材と複数個の押圧部材によって弾性的に保持され、ディスク載置部材に着脱自在に確実に取り付けられる。
【０００９】
また、本発明では、前記ディスク載置部材には軸部材が固定され、前記軸部材に前記移動部材が軸線方向に移動自在に装着され、前記軸部材の先端部には前記移動部材の前記第１の位置を越える移動を阻止する移動阻止部材が装着され、更に、前記ディスク載置部材と前記移動部材との間には、前記移動部材を前記第１の位置に向けて弾性的に偏倚する第２の弾性偏倚部材が介在されていることを特徴とする。
【００１０】
本発明に従えば、ディスク載置部材に装着された軸部材の先端部に移動阻止部材が装着されているので、移動部材の第１の位置を越える移動を確実に阻止することができる。また、ディスク載置部材と移動部材との間に第２の弾性偏倚部材が介在されているので、解除リング部材を移動部材の解除用突部に作用させてその係合爪部とディスク載置部材の被係合部との係合状態を解除すると、この第２の弾性偏倚部材の作用によって移動部材が第１の位置に確実に移動される。
【００１１】
また、本発明では、前記ディスク載置部材と前記解除リング部材との間には、前記解除リング部材を前記移動部材に向けて弾性的に偏倚する第３の弾性偏倚部材がが介在されていることを特徴とする。
本発明に従えば、ディスク載置部材と解除リング部材との間に第３の弾性偏倚部材が介在されているので、解除リング部材は第３の弾性偏倚部材によって固定部材の作用案内部に当接する状態に保持され、装着すべきディスクをディスク載置部材に載置すると、載置するディスクによって解除リング部材がディスク載置部材に向けて移動され、解除リング部材が移動部材の解除用突部に作用して移動部材の係合爪部とディスク載置部材の被係合部との係合状態が解除される。
【００１２】
更に、本発明では、前記ディスク載置部材は、モータのロータ本体から構成されていることを特徴する。
本発明に従えば、ディスク載置部材がロータ本体から構成されているので、専用のディスク載置部材を必要とせず、これによってモータ及びディスククランプ装置を含む駆動装置の小型化、薄型化を図ることができるとともに、その構成の簡略化をも達成することができる。
【００１３】
【発明の実施の形態】
以下、添付図面を参照して、本発明に従うディスククランプ装置の一実施形態について説明する。図１は、本発明に従うディスククランプ装置を備えたモータを示す斜視図であり、図２は、図１におけるＩＩ−ＩＩ線による断面図であり、図３は、図１におけるディスククランプ装置の要部を分解して示す分解斜視図である。
図１及び図２を参照して、図示のモータは静止部材２及びロータ４を備え、ロータ４が静止部材２に相対的に回転自在に支持され、かく支持されたロータ４にディスククランプ装置６が装着されている。この形態では、静止部材２はベースハウジング８を備え、このベースハウジング８がディスク駆動装置の例えばベースプレート（図示せず）に取り付けられる。ベースハウジング８の内面には略円筒状の支持部材１０が固定され、この支持部材１０の内周面に軸受部材１２が装着され、その外周面にステータ１４が取り付けられている。ステータ１４は、支持部材１０に取り付けられたステータコア１６と、このステータ１６に所要の通りに巻かれたコイル１８から構成されている。
【００１４】
図示のロータ４は鉄板をカップ状にプレス加工してなるロータ本体２０を備え、ロータ本体２０は円形状の端壁２２及びこの端壁２２の外周端からベースハウジング８に向けて延びる周側壁２４を有し、この形態ではロータ本体２０、特に端壁２２が後述するディスククランプ装置６のディスク載置部材として機能する。ロータ本体２０の端壁２２の中央部には回転軸２６が固定され、回転軸２６の一端部はベースハウジング８に向けて延び、かかる一端部が軸受部材１２に回転自在に支持されている。また、回転軸２６の他端部は端壁２２から図２において上方に延び、この他端部がディスククランプ装置６の軸部材として機能する。
【００１５】
ロータ本体２０の周側壁の内周面には環状ロータマグネット２８が装着され、このロータマグネット２８はステータ１４に対向して半径方向外方に配設されている。ステータ１４及びロータマグネット２８はモータを回転駆動するための磁気回路を構成し、ステータ１４のコイル１８に駆動電流を供給することによってステータコア１６が磁化され、ロータマグネット２８及び磁化されたステータ１４の相互磁気作用によって、ロータ４が所定方向に回転駆動される。
【００１６】
次に、図１及び図２とともに図３を参照してディスククランプ装置６及びそれに関連する構成について説明すると、図示のディスククランプ装置６は、ロータ本体２０（この形態では端壁２２）から構成されるディスク載置部材３２と、このディスク載置部材３２（端壁２２）に固定された固定部材３４と、ディスク載置部材３２に対して移動自在に配設された移動部材３６とを備えている。ディスク載置部材３２の中央部には上述したように回転軸２６が固定され、この回転軸２６の他端部（軸部材として機能する）がその表面から実質上垂直に延びている。この形態では、ディスク載置部材３２には周方向に間隔をおいて複数個（図示の形態では３個）の貫通孔３８（被係合部として機能する）が設けられている。このディスク載置部材３２には、また、隣接する貫通孔３８の間に取付孔４０が設けられている。ディスク載置部材３２の外周部は、図２及び図３において上方に突出しており、かく環状突出部３２ａを設けることによって、その半径方向内側に凹部４４が形成され、この凹部４４を規定する部位３２ｂに貫通孔３８及び取付孔４０が設けられている。このディスク載置部材３２の環状突出部３２ａの外面（上面）には、ゴム材料等から形成される緩衝保護部材４５が例えば接着剤によって取り付けられている。
【００１７】
固定部材３４は鉄板をプレス加工してなるリング状の作用案内部４６を有し、この作用案内部４６に周方向に間隔をおいて複数個（この形態では３個）の脚部４８が一体的に設けられ、かかる脚部４８の先端部（下端部）が、ディスク載置部材３２の対応する取付孔４０に例えばかしめの如き手段によって固定されている。
移動部材３６は樹脂製で円板状の移動本体５０を有し、この移動本体５０に周方向に実質上等間隔をおいて複数個（この形態では３個）の押圧部材５２が装着されている。この形態では、移動本体５０には、押圧部材５２の装着部位に対応して半径方向内方に延びる矩形状の取付凹部５４が設けられ、押圧部材５２の基部両側に設けられた軸部５６（図２において一方のみ示す）が取付凹部５４に設けられた一対の受部（図示せず）に旋回自在に装着されている。かく装着されているので、各押圧部材５２は、図１、図２及び図４に示す押圧位置と図５に示す解除位置との間を旋回移動することができる。
【００１８】
各押圧部材５２の一対の軸部５６の一方には、弾性偏倚部材を構成するねじりコイルばね５８が装着され、このねじりコイルばね５８の一端部が移動本体５０に係止され、その他端部が押圧部材５２に係止されている。このねじりコイルばね５８は押圧部材５２を押圧位置に向けて弾性的に偏倚し、その基部が固定部材３４の作用案内部４６の上面に当接することによって、各押圧部材５２は上記押圧位置に弾性的に保持される。
【００１９】
押圧部材５２が装着された移動部材３６は、回転軸２６の他端部（軸部材として機能する部位）に装着され、固定部材３４の作用案内部４６の半径方向内側にて軸線方向（図２において上下方向）に移動自在に支持されている。回転軸２６の他端部にはリング状の移動阻止部材６０が係止され、移動本体５０の中央部には円形状の収容部６２が形成され、またディスク載置部材３２の部位３２ｂと移動部材３６との間には、第２の弾性偏倚部材を構成するコイルばね６４が介在され、コイルばね６４は移動部材３６を移動阻止部材６０に向けて弾性的に偏倚する。この移動部材３６には、更に、ディスク載置部材３２に向けて延びる係合部６６が設けられている。この形態では、移動本体５０の隣接する取付凹部５４間に凹部６８が設けられ、この凹部６８に、係合部６６を構成する係合部材が固定ねじ７０により固定されている。係合部６６には、その先端部に係合爪部６６ａが設けられ、その中間部に半径方向外方に突出する解除用突部６６ｂが一体的に設けられている。この解除用突部６６ｂの上端部及び下端部にはテーパ面が形成され、解除リング部材７２（後述する）が上下方向に通過し易い形状になっている。このような係合部６６は、図示の実施形態では移動本体５０と別体に形成しているが、この移動本体５０と一体的に形成するようにしてもよい。
【００２０】
このように構成されているので、コイルばね６４は移動部材３６を図２において上方に偏倚し、移動本体５０が移動阻止部材６０に当接することによって、この移動部材３６は図１、図２及び図４に示す第１の位置に弾性的に保持される。この第１の位置においては、移動阻止部材６０が移動本体５０の収容部６２に収容され、移動本体５０の大部分は固定部材３４の作用案内部４６から外側に突出し、各押圧部材５２はねじりコイルばね５８の作用によって上記押圧位置に保持される。
【００２１】
この移動部材３６が押圧されてディスク載置部材３２に向けて図５に示す第２の位置まで移動すると、図５に示すように、移動部材３６の係合部６６の係合爪部６６ａが貫通孔３８を通過してディスク載置部材３２の一部に着脱自在に係合し、かく係合することによって移動部材３６が第２の位置に保持される。移動部材３６が上記第１の位置から上記第２の位置に向けて移動するに伴って、固定部材３４の作用案内部４６が各押圧部材５２の基部に作用してその軸部５６を中心としてねじりコイルばね５８の弾性偏倚力に抗してこれを上方に旋回する。そして、移動部材２６が上記第２の位置まで移動すると、図５に示すように、各押圧部材５２の基部は固定部材３４の作用案内部４６の半径方向内側に収容されて解除位置に保持される。この解除位置においては、各押圧部材５２はディスク載置部材３２の環状突出部３２ａから上方に後退して実質上垂直上方に延び、解除位置にある３つの押圧部材５２の外周面によって規定される外径は、装着されるディスク７０の取付孔の内径よりも幾分小さく、従って、押圧部材５２を被嵌しながらディスク７０をディスク載置部材３２の環状突出部３２ａに載置することができる。尚、ディスク７０は、例えばＣＤ−ＲＯＭ、光ディスク等の記録ディスクである。
【００２２】
ディスク載置部材３２と移動部材３６との間には、解除リング部材７２が介在されている。この解除リング部材７２は金属製であって、環状本体部７４と、この環状本体部７４の内周部から半径方向内方に突出する解除フランジ７６とを有し、解除フランジ７６には、固定部材３４の各脚部４８に対応して矩形状の切欠き７８が形成され、各脚部４８は対応する切欠き７８を通してディスク載置部材３２に固定されている。環状本体部７４は解除フランジ７６より肉厚が厚く、その上面に凹部８０が形成され、移動部材３６の下部が上記凹部８０に進入可能なように構成されている。この解除リング部材７２とディスク載置部材３２との間には、第３の弾性偏倚部材を構成するコイルばね８２が介在されており、このコイルばね８２は解除リング部材７２を固定部材３４の作用案内部４６に向けて弾性的に偏倚する。
【００２３】
このように構成されているので、通常、この解除リング部材７２はコイルばね８２によって弾性的に偏倚され、その解除フランジ７６の上面が固定部材３４の作用案内部４６の下面に当接することによって、図４及び図５に示す上昇位置に弾性的に保持される。この上昇位置においては、解除リング部材７２の解除フランジ７６は、移動部材３６が上記第１の位置に位置するときには図４に示すように移動部材３６の解除用突部６６ｂの下方（ディスク載置部材３２側）に位置し、移動部材３６が第２の位置に位置するときには図５に示すように上記解除用突部６６ｂの上方（移動本体５０側）に位置する。解除リング部材７２の環状フランジ７６は、移動部材３６の各係合部６６の解除用突部６６ｂを通過するときにこれに作用して係合部６６を半径方向内方に弾性変形し、これにより、係合爪部６６ａと貫通孔３８とが接触して係合部６６が半径方向内方に弾性変形することによって、係合部６６の係合爪部６６ａが貫通孔３８を通過することを許容する。
【００２４】
次に、主として、図２、図４及び図５を参照して、上述したディスククランプ装置６へのディスク７０の取付操作について説明する。
ディスククランプ装置６は、ディスク７０を装着していないときにはねじりコイルばね５８及びコイルばね６４，８２の作用によって図４に示す状態に保持されている。即ち、移動部材３６はコイルばね６４の作用によって上記第１の位置に保持され、各押圧部材５２はねじりコイルばね５８の作用によって上記押圧位置に保持され、また解除リング部材７２はコイルばね８２の作用によって上記上昇位置に保持されている。
【００２５】
ディスク７０を装着するには、まず、移動部材３６をコイルばね６４の弾性偏倚力に抗して押圧して上記第１の位置から上記第２の位置に位置付ける。この移動部材３６の移動によって、その係合部６６の解除用突部６６ｂが上昇位置にある解除用リング部材７２の解除フランジ７６を通過し、この通過の際に解除フランジ７６が各解除用突部６６ｂに作用して各係合部６６を半径方向内方に弾性変形し、かく変形することによって各係合部６６の係合爪部６６ａがディスク載置部材３２の貫通孔３８を通過する。そして、移動部材３６が上記第２の位置まで移動すると、解除フランジ７６が各解除用突部６６ｂから離れ（移動部材３６の移動によって、解除用突部６６ｂが解除フランジ７６の下側に移動する）、係合部６６が元の状態に戻ってその係合爪部６６ａがディスク載置部材３２の一部に係合し、移動部材３６は上記第２の位置にロック保持される。
【００２６】
移動部材３６が第２の位置に保持されると、図５に示すように、固定部材３４の作用案内部４６が押圧部材５２の基部に作用してねじりコイルばね５８の作用に抗して押圧部材５２が上方に旋回されて上記押圧位置から上記解除位置に移動され、移動部材３６が上記第２の位置にロック保持されることによって、各押圧部材５２が上記解除位置に保持される。
次いで、解除位置にある押圧部材５２の先端部をディスク７０の取付孔内に挿入するようにしてディスク７０をディスク載置部材３２の環状突出部３２ａの上面に載置する。このようにディスク７０を載置する際に、図５及び図２から理解されるように、装着するディスク７０によって解除リング部材７２がコイルばね８２の作用に抗してディスク載置部材３２に向けて移動され、このように解除リング部材７２が移動することによって、その解除フランジ７６が第２の位置にある移動部材３６の解除用突部６６ｂを通過する。このように移動すると、解除フランジ７６が再び解除用突部６６ｂに作用して各係合部６６を半径方向内方に弾性変形し、係合爪部６６ａとディスク載置部材３２の一部との係合が解除される。かくすると、移動部材３６はコイルばね６４の作用によって第１の位置に位置付けられ、また押圧部材５２はねじりコイルばね５８の作用によって軸部５６を中心に下方に旋回移動されて上記押圧位置に位置付けられ、かくして、装着したディスク７０は、図２に示すように、半径方向外方に実質上水平に延びる押圧部材５２によって弾性的に押圧され、ディスク載置部材３２の環状突出部３２ａと３個の押圧部材５２との間に挟持される。このとき、解除リング部材７２はコイルばね８２によって弾性的に偏倚され、環状本体部７４が装着されたディスク７０の下面に当接して図２に示す位置に保持され、その解除フランジ７６は第１の位置にある移動部材３６の解除用突部６６ｂの下側に位置する。
【００２７】
装着したディスク７０を取り外すには、まず、移動部材３６を第２の位置に位置付けて押圧部材５２を解除位置に保持し、次いでディスク載置部材３２に載置されたディスク７０を上方に持ち上げて外し、しかる後、解除リング部材７２を下方に移動させて移動部材を第１の位置に保持するとともに、押圧部材５２を押圧位置に保持すればよい（このとき、ディスク７０が存在しないので、解除リング部材７２は上記上昇位置に保持される）。
このディスククランプ装置６では、上述したように、着脱時にディスク７０に大きな力が作用することがなく、従ってディスク７０自体が弾性変形することがなく、着脱時のディスク７０の亀裂の発生を防止することができるとともに、ディスク７０を確実にクランプすることができる。また、上述のように所定部を押圧することによりディスク７０の着脱が図れ、その操作が容易である。
【００２８】
以上、本発明に従うディスククランプ装置の一実施形態について説明したが、本発明はかかる実施形態に限定されるものではなく、本発明の範囲を逸脱することなく種々の変形乃至修正が可能である。
例えば、図示の実施形態では、移動部材３６に周方向に間隔をおいて３個の押圧部材５２を装着しているが、これに限定されず、２個又は４個以上装着するようにしてもよい。
また、例えば、図示の実施形態では、モータ及びディスククランプ装置６に関連する構成の小型化、薄型化を達成するために、ロータ本体２０をディスク載置部材３２として機能させているが、上述した要求が少ない場合、専用のディスク載置部材を設け、このディスク載置部材をロータ本体と一体的に回転駆動するようにしてもよい。また、上記各部材の材料もその機能に支障がない範囲で変更することができる。
【００２９】
【発明の効果】
本発明の請求項１のディスククランプ装置によれば、着脱時にディスクに大きな力が作用することがなく、ディスク自体が弾性変形することなく取り付け、取り外しすることができ、かくして着脱時のディスクの亀裂の発生を防止することができる。また、着脱にかかる一連の操作が容易である。
【００３０】
また、本発明の請求項２のディスククランプ装置によれば、解除リング部材を移動させるという簡単な操作でもって、移動部材の係合爪部とディスク載置部材の被係合部との係合状態を解除することができる。
また、本発明の請求項３のディスククランプ装置によれば、装着すべきディスクをディスク載置部材に載置することによって、移動部材の係合爪部とディスク載置部材の被係合部との係合状態が解除され、これによってディスク７０をクランプすることができる。
【００３１】
更に、本発明の請求項４のディスククランプ装置によれば、モータ及びディスククランプ装置を含む駆動装置の小型化、薄型化を図ることができる。
【図面の簡単な説明】
【図１】本発明に従うディスククランプ装置を備えたモータを示す斜視図である。
【図２】図１におけるＩＩ−ＩＩ線による断面図である。
【図３】図１におけるディスククランプ装置の要部を分解して示す分解斜視図である。
【図４】ディスククランプ装置にディスクが装着されず、移動部材が第１の位置に保持されている状態を示す断面図である。
【図５】ディスククランプ装置にディスクが装着されず、移動部材が第２の位置に保持されている状態を示す断面図である。
【符号の説明】
２  静止部材
４  ロータ
６  ディスククランプ装置
１４  ステータ
２０  ロータ本体
２２  端壁
２８  ロータマグネット
３２  ディスク載置部材
３４  固定部材
３６  移動部材
３８  貫通孔（被係合部）
４６  作用案内部
５２  押圧部材
５８  ねじりコイルばね（弾性偏倚部材）
６４  コイルばね（第２の弾性偏倚部材）
６６  係合部
６６ａ  係合爪部
６６ｂ  解除用突部
７０  ディスク
７２  解除リング部材
８２  コイルばね（第３の弾性偏倚部材）
【図１】
0004005752.tif 000002
【図２】
0004005752.tif 000003
【図３】
0004005752.tif 000004
【図４】
0004005752.tif 000005
【図５】
0004005752.tif 000006